(57)【特許請求の範囲】
【請求項１】
撮影装置が設けられた複数の撮影室のいずれかに、患者の待ち時間を予測して検査の実施を振り分ける医用画像撮影制御装置であって、
患者の撮影を実施する際に検査パターンを入力する入力部と、
検査パターン毎に、撮影実施可能な撮影室を指定するためのデータを保管した第１のテーブルと、
前記それぞれの撮影室における撮影技師、検査部位毎の平均検査時間データを保管した第２のテーブルと、
前記入力部から入力された検査パターンをもとに前記第１のテーブルのデータを用いて撮影を実施可能な撮影室の候補を選出するとともに、前記第２のテーブルの平均検査時間テータをもとに前記選出された撮影室毎の検査の待ち時間を算出し、最も待ち時間の少ない撮影室を決定する演算部と、
前記演算部によって決定した結果を表示する表示部と、を具備したことを特徴とする医用画像撮影制御装置。
【請求項２】
前記検査パターンは、少なくとも撮影方法と撮影部位によって決定することを特徴とする請求項１記載の医用画像撮影制御装置。
【請求項３】
前記第２のテーブルに保管された平均検査時間データは、所定期間内における各撮影室での撮影技師、検査部位毎の総検査時間を算出し、この総検査時間を前記所定期間内の各撮影室での撮影技師、検査部位毎の検査回数で除算したデータでなることを特徴とする請求項１記載の医用画像撮影制御装置。
【請求項４】
前記第２のテーブルに保管された平均検査時間データは、所定期間毎に更新され、前記検査の待ち時間を算出する際に前更新時の平均検査時間データを用いて算出することを特徴とする請求項１記載の医用画像撮影制御装置。
【請求項５】
複数の撮影室を利用して医用画像の撮影を行う医用画像撮影システムであって、
受付装置と、撮影装置が設けられた複数の撮影室と、前記受付装置及び前記複数の撮影室に共通に接続配置されたサーバとを備え、
前記サーバは、患者の撮影を実施する際の検査パターン毎に撮影実施可能な撮影室を指定するためのデータを保管した第１のテーブルと、前記それぞれの撮影室における撮影技師、検査部位毎の平均検査時間データを保管した第２のテーブルと、前記受付装置によって前記検査パターンが設定されたときに、前記第１のテーブルのデータを用いて撮影を実施可能な撮影室の候補を選出するとともに、前記第２のテーブルの平均検査時間データをもとに前記選出された撮影室毎の検査の待ち時間を算出し、最も待ち時間の少ない撮影室を決定する演算部とを有し、
前記受付装置は、受付時に前記検査パターンを入力する入力部と、前記演算部によって決定した結果を表示する表示部とを有することを特徴とする医用画像撮影システム。
【請求項６】
前記複数の撮影室、及び前記受付装置は、ＲＩＳ（Radiology Information System）を介して前記共通のサーバに接続されたことを特徴とする請求項５記載の医用画像撮影システム。
【発明の詳細な説明】
【技術分野】
【０００１】
本発明は、放射線撮影装置等を利用した医用検査において、検査のための待ち時間を低減した医用画像撮影制御装置及び医用画像撮影システムに関するものである。
【背景技術】
【０００２】
従来、医用分野においてはＸ線等の放射線を用いた撮影装置が多用されており、近年では、Ｘ線ＣＴ装置（Ｘ線コンピュータトモグラフィ装置）、ＭＲＩ装置（磁気共鳴イメージング装置）、超音波診断装置等が用いられている。また、病院内での放射線科内の情報を管理するＲＩＳ（Radiology Information System）や、病院内の情報を管理するＨＩＳ（Hospital Information System）も普及しており、情報処理システムの構築も進んでいる。これにより、医用画像の撮影オーダーの予約受付けや、医用画像の利用状況等を管理できるようになっている。
【０００３】
ところで、従来では撮影オーダーの予約受付けがあった場合、頭部、胸部といった検査パターンに応じて撮影室を決定し、複数ある撮影室のいずれかで検査を実施するように振り分けを行っている。しかしながら、従来の振り分け方法では、患者の待ち状況が考慮されておらず、同様の検査が連続して受付けされた場合、特定の撮影室のみが混雑するという問題がある。特に、撮影技師の能力や経験の違いによって、撮影の進行具合が異なるため、撮影技師が常に撮影の混雑状況を確認しながら、撮影室の変更を行うことが多い。
【０００４】
また、特許文献１には、患者の総待ち時間を短縮するため、現在の検査進行状況を監視する手段と、進行状況に応じて次の検査情報を決定するサーバ手段と、決定した検査情報を配送する手段とを備え、撮影とオーバーラップして次の患者に通知するＸ線撮影進行システムが記載されている。
【０００５】
しかしながら、特許文献１に記載の例では、患者の待ち時間を予測することができないため撮影室に適切に振り分けることができず、特定の撮影室のみが混雑するという問題は解消できない。
【特許文献１】特開２００４−１９９１９４号公報
【発明の開示】
【発明が解決しようとする課題】
【０００６】
従来では、検査パターンによって撮影室を決定しているため、同様の検査が連続して受付けされた場合に、特定の撮影室のみが混雑するという問題がある。
【０００７】
本発明は、検査の待ち時間を、撮影室、検査部位、撮影技師ごとに算出することにより、待ち時間を短縮した医用画像撮影制御装置及び医用画像撮影システムを提供することを目的とする。
【課題を解決するための手段】
【０００８】
請求項１記載の本発明は、撮影装置が設けられた複数の撮影室のいずれかに、患者の待ち時間を予測して検査の実施を振り分ける医用画像撮影制御装置であって、患者の撮影を実施する際に検査パターンを入力する入力部と；検査パターン毎に、撮影実施可能な撮影室を指定するためのデータを保管した第１のテーブルと；前記それぞれの撮影室における撮影技師、検査部位毎の平均検査時間データを保管した第２のテーブルと；前記入力部から入力された検査パターンをもとに前記第１のテーブルのデータを用いて撮影を実施可能な撮影室の候補を選出するとともに、前記第２のテーブルの平均検査時間テータをもとに前記選出された撮影室毎の検査の待ち時間を算出し、最も待ち時間の少ない撮影室を決定する演算部と；前記演算部によって決定した結果を表示する表示部と、を具備したことを特徴とする。
【０００９】
また、請求項５記載の本発明は、複数の撮影室を利用して医用画像の撮影を行う医用画像撮影システムであって、受付装置と、撮影装置が設けられた複数の撮影室と、前記受付装置及び前記複数の撮影室に共通に接続配置されたサーバとを備え；前記サーバは、患者の撮影を実施する際の検査パターン毎に撮影実施可能な撮影室を指定するためのデータを保管した第１のテーブルと、前記それぞれの撮影室における撮影技師、検査部位毎の平均検査時間データを保管した第２のテーブルと、前記受付装置によって前記検査パターンが設定されたときに、前記第１のテーブルのデータを用いて撮影を実施可能な撮影室の候補を選出するとともに、前記第２のテーブルの平均検査時間データをもとに前記選出された撮影室毎の検査の待ち時間を算出し、最も待ち時間の少ない撮影室を決定する演算部とを有し；前記受付装置は、受付時に前記検査パターンを入力する入力部と、前記演算部によって決定した結果を表示する表示部とを有することを特徴とする。
【発明の効果】
【００１０】
本発明によれば、同様の検査を連続して受付けた場合も、待ち時間の少ない撮影室に検査の実施を振り分けることができるため、特定の撮影室のみが混雑するという問題を解消することができる。
【発明を実施するための最良の形態】
【００１１】
以下、この発明の一実施の形態について図面を参照して詳細に説明する。
【実施例１】
【００１２】
図１は本発明の医用画像撮影制御装置の全体構成を示す構成図である。図１において、Ａ，Ｂ，Ｃ・・・は撮影室であり、各撮影室Ａ，Ｂ，Ｃ・・・には、それぞれ任意の放射線撮影装置１１，１２，１３が置かれている。放射線撮影装置１１，１２，１３としてはＸ線ＣＴ装置（Ｘ線コンピュータトモグラフィ装置）、ＭＲＩ装置（磁気共鳴イメージング装置）、Ｘ線撮影装置等がある。
【００１３】
放射線撮影装置１１，１２，１３は、放射線科内の情報を管理するＲＩＳ（Radiology Information System）２１，２２，２３に接続されている。また、受付室ＤにはＲＩＳ２４が設けられている。
【００１４】
これらＲＩＳ２１，２２，２３，２４は、共通のＲＩＳサーバ２５に接続されている。ＲＩＳサーバ２５は、複数のテーブルで構成されるデータベース３０、及び演算処理を行う演算部４０を備えている。
【００１５】
ＲＩＳ２４は、入力部１４１，表示部１４２を有し、かつＲＩＳ２４を介してＲＩＳサーバ２５にアクセス可能であり、患者の撮影を実施する際に、状態に応じて放射線撮影の検査パターン（撮影種別、検査部位など）を入力し、医用画像の撮影オーダーの予約受付けを行う。ＲＩＳサーバ２５は、ＲＩＳ２４からの撮影オーダーを受けて、各撮影室Ａ〜Ｃの使用状況を確認し、各撮影室毎に患者の待ち時間を計算して、複数ある撮影室のいずれかに検査の実施を振り分けるための演算処理を行う。振り分けの結果は、ＲＩＳ２４にて表示される。
【００１６】
図２は、ＲＩＳサーバ２５におけるデータベース３０の各種テーブルと、撮影室を自動振り分けするための演算部４０の構成を示すブロック図である。
【００１７】
データベース３０は、撮影室マスタテーブル３１、技師マスタテーブル３２、部位マスタテーブル３３、実施可能撮影室マスタテーブル３４、平均検査時間管理テーブル３５を備え、演算部４０は、撮影技師、検査部位、撮影室毎の所定の期間、例えば前月の平均検査時間を算出する第１のロジック部４１と、撮影室毎の現在の待ち時間を算出して撮影室を決定する第２のロジック部４２を有している。
【００１８】
各マスタテーブル３１〜３３には、撮影室、撮影技師、検査部位毎に各種のデータが保管されている。テーブル３６には撮影室、技師、部位や、検査撮影のために要した検査時間データとして撮影開始時刻と撮影終了時刻のデータが保管されている。
【００１９】
また、マスタテーブル３４には、検査パターン毎に、撮影実施可能な撮影室を指定するための各種データが保管されている。さらに、テーブル３５には、撮影技師、検査部位、及び撮影室毎の検査時間のデータが保管されており、それらデータが所定の期間（例えば１ケ月）毎に更新されるようになっている。この検査時間のデータは撮影室毎の待ち時間を算出する際に使用される。
【００２０】
図３は、マスタテーブル３４の一例を示すもので、撮影種別、検査部位、撮影方法、撮影方向、造影剤の有無等の検査パターンに応じて撮影を実施可能な撮影室のデータが記憶されている。撮影実施可能な撮影室が複数ある場合は、すべて記憶されている。
【００２１】
図３の例では、撮影種別が単純撮影であり、撮影部位が胸部と足部の例を掲げ、撮影方法として単純撮影と、造影剤を使用した撮影の例を掲げている。この場合、単純の胸部撮影が実施可能な撮影室としてＡとＢが登録されている。また、単純の足部撮影が実施可能な撮影室としてＣが登録され、造影剤を使用した胸部撮影が実施可能な撮影室としてＡが登録されている。
【００２２】
図４は、平均検査時間管理テーブル３５の一例を示すもので、撮影技師、検査部位、撮影室毎の検査時間と、集計した年月が記憶されている。
【００２３】
図４の例では、技師「東太郎」氏が撮影室Ａを使用して胸部撮影を行ったときの１検査当たりの検査時間が３分であり、同様に撮影室Ｂを使用した胸部撮影が３分であり、撮影室Ｃを使用した足部撮影が５分の例が掲げられている。一方、技師「芝花子」氏の場合は、撮影室Ａを使用した胸部撮影が１０分であり、両者の検査時間を集計した年月がいずれも２００５年８月であることを示している。このテーブル３５からは、技師の経験等の相違から検査時間に差があることがわかる。
【００２４】
次に、図５，図６を参照して平均検査時間を算出する第１のロジック部４１の動作と、現在の待ち時間算出して撮影室を決定する第２のロジック部４２の動作を説明する。
【００２５】
図５は、平均検査時間を算出する第１のロジック部４１の動作を説明するフローチャートであり、定期タスク等の手段により、定期的に平均検査時間を自動算出する。
【００２６】
先ずステップＳ１では、テーブル３６のレコードを検索し、前月のデータであるかどうかを判別する。前月の判別データであれば（ＹＥＳ）、次のステップＳ２では、撮影技師、検査部位、撮影室毎の検査時間を算出する。
【００２７】
この検査時間の算出は、検査終了時刻から検査開始時刻を減算して検査時間を割り出し、さらに前月の検査回数が複数ある場合は、複数回分の検査時間を加算して前月分のトータルの検査時間Σを求め、それを検査回数で除算して前月の１回あたりの検査時間を撮影技師、検査部位、撮影室毎に算出する。そしてステップＳ３では、ステップＳ２で算出した結果を上記テーブル３５（図４参照）に登録する。
【００２８】
図６は、撮影室毎に現在の待ち時間を予測して、撮影室を決定する第２のロジック部４２の動作を説明するフローチャートであり、受付時に、撮影が実施可能な撮影室の現在の待ち時間を算出するものである。
【００２９】
ステップＳ１１では撮影を実施可能な撮影室の有無を判別する。ここでは、撮影室の準備が整っているか、撮影技師が居るかといった判断を行い、撮影を実施可能な撮影室の候補を選出する。つまりテーブル３４を参照し受付けオーダーが撮影可能な撮影室を抽出する。ステップＳ１２では、選出された撮影室毎に先に求めた検査時間（テーブル３５）を参照し、現在の待ち患者の検査内容から撮影可能な撮影室毎に待ち時間を演算する。ステップＳ１３では、待ち時間が最も短い撮影室を決定する。
【００３０】
演算結果はＲＩＳ２４の表示部１４２に表示され、患者に撮影室の案内を行う。これにより、患者の待ち時間が最も少ない撮影室に検査の実施を振り分けることができる。なお、各撮影室では撮影が終了した時点で、技師によって終了の入力が行われ、ＲＩＳ２１，２２，２３を介してＲＩＳサーバ２５に伝達するようにしている。
【００３１】
図７は、放射線撮影を要する患者を複数受付けた場合の、予約撮影室の一例を示したものである。図７において、ＲＩＳ２４では患者ａ〜ｅ毎に、検査パターンを入力する（なお、患者の受付順はａ〜ｅの順とする）。ここでは、患者の状態により撮影種別や検査部位、撮影方向等が入力される。例として、患者ａ及び患者ｃ〜ｅは、いずれも単純撮影で胸部撮影であり、患者ｂのみが単純撮影の足部撮影であると仮定する。また、撮影室Ａは技師「芝花子」氏が担当し、撮影室Ｂは技師「東太郎」氏が担当するものとする。
【００３２】
図８は患者の受付順、及び前記テーブル３４，３５のデータ、及び前記算出ロジック部４１，４２により、撮影室を予約する動作フローを示すものである。ここでは、患者別に撮影室の振り分けが行われるが、先ず患者ａについては、マスタテーブル３４から撮影室ＡまたはＢとなり、ここでは撮影室Ａ、技師「芝花子」氏と決定する。また、患者ｂは足部の撮影であるから、マスタテーブル３４から撮影室Ｃと決定する。
【００３３】
一方、患者ｃ〜ｅは、マスタテーブル３４から撮影室Ａ又はＢに割り振られることになるが、ここで待ち時間が算出される。すなわち、患者ｃは、撮影室Ａが既に患者ａに割り振られているため、残りの撮影室Ｂに割り振られる。次に患者ｄについては、テーブル３５から撮影室Ａの技師「芝花子」氏による患者ａの検査時間は１０分、撮影室Ｂの技師「東太郎」氏による検査時間は３分であることから、撮影室Ｂでの待ち時間の方が短いことが判定され、患者ｄは撮影室Ｂに割り振られる。
【００３４】
さらに患者ｅについては、撮影室Ａの技師「芝花子」氏による患者ａの検査時間は１０分、撮影室Ｂの技師「東太郎」氏による患者ｃ，ｄの検査時間は計６分と判断し、撮影室Ｂでの待ち時間の方が短いとして、患者ｅを撮影室Ｂに割り振る。
【００３５】
こうして、撮影室を割り振る際には、患者の撮影種別、検査部位等の検査パターンと、撮影技師による検査部位毎、撮影室毎の検査時間をもとに、各撮影室毎の待ち時間を算出して撮影室を決定するため、患者には最も待ち時間の少ない撮影室を案内することができる。なお、各撮影室での撮影状況はＲＩＳ２１，２２，２３を介してＲＩＳサーバ２５に送られるため、撮影が予定よりもずれた場合は、それに合わせて撮影室の変更も可能である。
【００３６】
また、経験の浅い技師であっても、経験を積むに従って検査時間が短くなることが予想されるが、所定の期間、例えば１ケ月毎に検査時間の集計データを更新することにより、常に最新のデータをもとに検査時間を算出することができるため、待ち時間の算出を適正に行うことができる。
【００３７】
このように本発明では、同様の検査を連続して受付けした場合も、自動的に撮影室を分散させることができるため、特定の撮影室のみが混雑することがない。
【００３８】
また、撮影技師、検査部位、撮影室によって平均検査時間を管理するため、検査の特徴や技師の能力に応じた待ち時間の算出が可能となる。したがって、従来のように、技師が患者の混雑状況を確認しながら撮影室を変更するといった手間がなくなるため、検査に集中することができる。
【００３９】
尚、以上の説明では、ＣＴ装置、ＭＲＩ装置、Ｘ線撮影装置よる診断例を説明したが、他の撮影装置を利用する場合にも適用することができ、特許請求の範囲を逸脱しない範囲内で種々の変形が可能である。
【図面の簡単な説明】
【００４０】
【図１】本発明の医用画像撮影制御装置の一実施形態を示す全体構成図。
【図２】同実施形態に使用するサーバの構成を説明するブロック図。
【図３】同実施形態に使用するサーバの実施可能撮影室のマスタテーブルを説明する説明図。
【図４】同実施形態に使用するサーバの平均検査時間管理テーブルを説明する説明図。
【図５】同実施形態における平均検査時間算出ロジックの動作を説明するフローチャート。
【図６】同実施形態における待ち時間算出及び撮影室決定のロジックの動作を説明するフローチャート。
【図７】同実施形態における撮影室決定の動作を説明する説明図。
【図８】同実施形態における撮影室決定までのフローを説明する説明図。
【符号の説明】
【００４１】
Ａ，Ｂ，Ｃ…撮影室
Ｄ…受付室
１０…医用画像診断装置
１１，１２，１３…撮影装置
２１，２２，２３，２４…ＲＩＳ
２５…ＲＩＳサーバ
３０…データベース
３１…撮影室マスタテーブル
３２…技師マスタテーブル
３３…部位マスタテーブル
３４…実施可能撮影室マスタテーブル
３５…平均検査時間管理テーブル
４０…演算部
４１，４２…算出ロジック部
１４１…入力部
１４２…表示部
【図１】
0004843322.tif 000002
【図２】
0004843322.tif 000003
【図３】
0004843322.tif 000004
【図４】
0004843322.tif 000005
【図５】
0004843322.tif 000006
【図６】
0004843322.tif 000007
【図７】
0004843322.tif 000008
【図８】
0004843322.tif 000009